(57)【要約】【課題】  レーザー加工分野等に応用可能な高繰り返しレーザーの大出力と高品質化を図る高出力増幅器を提供する。【解決手段】  入射レーザー光は偏光ビームスプリッター４を通過後、レーザー光路にも水など冷却液体が流れて冷却される板状レーザー増幅器１により増幅された後、偏光回転素子３により横偏光から４５度偏光となり、位相共役鏡２に入射される。位相共役鏡２により反射されたレーザー光は、再び偏光回転素子３を通過することにより、さらに偏光は４５度回転する。その結果、偏光回転素子３を通過後の偏光方向は、入射偏光の横偏光から９０度回転した縦偏光となる。この縦偏光のレーザー光は、再び板状レーザー増幅器１により高出力まで増幅された後、偏光ビームスプリッター４によりレーザー光は切り出される。【選択図】      図１
2005101223.tif 000002
【特許請求の範囲】
【請求項１】
レーザー光を増幅する固体レーザー媒質と、それを格納するハウジングと、固体レーザー媒質を励起光で励起する励起源とを備えるレーザー増幅器において、レーザー光路に波面歪みを補償する位相共役鏡を備え、固体レーザー媒質の冷却媒質が液体であることを特徴とする高出力レーザー増幅器。
【請求項２】
固体レーザー媒質に沿って流れる冷却媒質の流れが、鋭角又は流線型の仕切板等でなる乱流発生防止手段により、少なくともレーザー光路部分において層流であることを特徴とする請求項１記載の高出力レーザー増幅器。
【請求項３】
入射レーザー光が増幅器を通過後、位相共役鏡で反射されて増幅器を逆向きに通過し、レーザービームが同一増幅器を少なくとも１往復することを特徴とする請求項１又は請求項２記載の高出力レーザー増幅器。
【請求項４】
固体レーザー媒質は、ディスク型またはスラブ型の板状で、かつ１枚または複数枚の構成であることを特徴とする請求項１又は請求項２記載の高出力レーザー増幅器。
【請求項５】
励起源はフラツシュランプ又はレーザーダイオードアレイであることを特徴とする請求項１又は請求項２記載の高出力レーザー増幅器。
【請求項６】
液体の冷却媒質は水またはフッ素系不活性液体であることを特徴とする請求項１又は請求項２記載の高出力レーザー増幅器。
【請求項７】
増幅器がアクティブミラー型の増幅器であることを特徴とする請求項１又は請求項２記載の高出力レーザー増幅器。
【発明の詳細な説明】
【技術分野】
【０００１】
本発明は高繰り返しレーザーの大出力と高品質化を可能とする高出力レーザー増幅器に関する。
【背景技術】
【０００２】
近年、溶接・溶断等のレーザー加工から表面改質や微細加工等のレーザ一加工分野においては、安価で高出力のレーザー光発生装置が望まれている。ランプ等により励起されたレーザー媒質に、レーザー光を入射し増幅して高出力のレーザー光を得ている。そして、レーザー光増幅器に用いられるレーザー媒質には、円筒側面冷却のロッド型とガス冷却ディスク型がある。
【０００３】
現在の主流はロッド型であるが、結晶育成の点から大口径化が困難で、大出力化には限度がある。また、円筒側面を冷却することが出来るが、熱勾配による熱レンズ効果が発生し、ビーム品質の劣化や大出力化の制約をもたらす。そのため現状で実用化されている出力は、数ｋＨｚの高繰り返しでは、パルス出力はたかだか数百ｍＪである。
【０００４】
一方、ディスク型は大口径が可能で高出力に向いているが、冷却媒質が窒素やヘリウムの気体であるため冷却効率が低く、高繰り返しでの大出力化のネックになっている。レーザー核融合では、大出力にすると数時間で１ショットが限界である（例えば、特許文献１参照）。
【特許文献１】特開平５−１０２５６６号公報
【発明の開示】
【発明が解決しようとする課題】
【０００５】
このように、従来、高出力パルス用レーザーに用いられるロッド型レーザー媒質は高繰り返し動作可能であるが、大口径化が困難なことや熱レンズ効果のため出力に限度があった。また、ディスク型レーザー媒質は大口径化により高出力が得られるが、空冷であるため繰り返しに限度があると共にビーム品質が悪かった。そこで、本発明はレーザー加工分野等に応用可能な高繰り返しレーザーの大出力と高品質化を可能とする高出力増幅器を提供することを目的とする。
【課題を解決するための手段】
【０００６】
上記目的を達成するために、この発明の請求項１に係る高出力レーザー増幅器は、レーザー光を増幅する固体レーザー媒質と、それを格納するハウジングと、固体レーザー媒質を励起光で励起する励起源とを備えるレーザー増幅器において、レーザー光路に波面歪みを補償する位相共役鏡を備え、固体レーザー媒質の冷却媒質が液体であるように構成した。
【０００７】
これにより、本発明の高出力増幅器は、固体レーザー媒質を励起光で励起するレーザー増幅器において、固体レーザー媒質の冷却媒質が液体であって、レーザー光路に波面歪みを補償する位相共役鏡を備えるものであり、高出力のレーザーが得られると共に、固体レーザー装置で発生する熱レンズ効果及び熱複屈折効果などの熱効果を除去できることにより、高品質のレーザーを得ることができる。
【０００８】
この発明の請求項２に係る高出力レーザー増幅器は、レーザー光を増幅する固体レーザー媒質と、それを格納するハウジングと、固体レーザー媒質を励起光で励起する励起源とを備えるレーザー増幅器において、レーザー光路に波面歪みを補償する位相共役鏡を備え、固体レーザー媒質の冷却媒質が液体であり、固体レーザー媒質に沿って流れる冷却媒質の流れが、鋭角又は流線型の仕切板等でなる乱流発生防止手段により、少なくともレーザー光路部分において層流であるように構成した。
【０００９】
これにより、少なくともレーザー光路部分において層流であり、乱流でないので、冷却媒質の流れによって引き起こされる波面歪みが低次の波面収差のみであって、高次の波面収差を含まないので、位相共役鏡で補償できる。
【００１０】
この発明の請求項３に係る高出力レーザー増幅器は、レーザー光を増幅する固体レーザー媒質と、それを格納するハウジングと、固体レーザー媒質を励起光で励起する励起源とを備えるレーザー増幅器において、レーザー光路に波面歪みを補償する位相共役鏡を備え、固体レーザー媒質の冷却媒質が液体である構成し、あるいは、固体レーザー媒質に沿って流れる冷却媒質の流れが、鋭角又は流線型の仕切板等でなる乱流発生防止手段により、少なくともレーザー光路部分において層流であるように構成し、入射レーザー光が増幅器を通過後、位相共役鏡で反射されて増幅器を逆向きに通過し、レーザービームが同一増幅器を少なくとも１往復するように構成した。
【００１１】
これにより、入射レーザー光が増幅器を通過後、位相共役鏡で反射されて増幅器を逆向きに通過し、レーザービームが同一増幅器を少なくとも１往復し、この光学構成を繰り返すことで高出力が得られる。
【００１２】
この発明の請求項４に係る高出力レーザー増幅器は、レーザー光を増幅する固体レーザー媒質と、それを格納するハウジングと、固体レーザー媒質を励起光で励起する励起源とを備えるレーザー増幅器において、レーザー光路に波面歪みを補償する位相共役鏡を備え、固体レーザー媒質の冷却媒質が液体である構成し、あるいは、固体レーザー媒質に沿って流れる冷却媒質の流れが、鋭角又は流線型の仕切板等でなる乱流発生防止手段により、少なくともレーザー光路部分において層流であるように構成し、固体レーザー媒質は、ディスク型またはスラブ型の板状で、かつ１枚または複数枚で構成した。
【００１３】
この発明の請求項５に係る高出力レーザー増幅器は、レーザー光を増幅する固体レーザー媒質と、それを格納するハウジングと、固体レーザー媒質を励起光で励起する励起源とを備えるレーザー増幅器において、レーザー光路に波面歪みを補償する位相共役鏡を備え、固体レーザー媒質の冷却媒質が液体である構成し、あるいは、固体レーザー媒質に沿って流れる冷却媒質の流れが、鋭角又は流線型の仕切板等でなる乱流発生防止手段により、少なくともレーザー光路部分において層流であるように構成し、励起源はフラツシュランプ又はレーザーダイオードアレイで構成した。
【００１４】
この発明の請求項６に係る高出力レーザー増幅器は、レーザー光を増幅する固体レーザー媒質と、それを格納するハウジングと、固体レーザー媒質を励起光で励起する励起源とを備えるレーザー増幅器において、レーザー光路に波面歪みを補償する位相共役鏡を備え、固体レーザー媒質の冷却媒質が液体である構成し、あるいは、固体レーザー媒質に沿って流れる冷却媒質の流れが、鋭角又は流線型の仕切板等でなる乱流発生防止手段により、少なくともレーザー光路部分において層流であるように構成し、液体の冷却媒質は水またはフッ素系不活性液体で構成した。
【００１５】
これにより、固体レーザー媒質の種類と形態の選択が任意に可能であり、励起源もフラツシュランプ又はレーザーダイオードアレイを選択でき、かつ、液体の冷却媒質は水またはフッ素系不活性液体を任意に選択できる。
【００１６】
この発明の請求項７に係る高出力レーザー増幅器は、レーザー光を増幅する固体レーザー媒質と、それを格納するハウジングと、固体レーザー媒質を励起光で励起する励起源とを備えるレーザー増幅器において、レーザー光路に波面歪みを補償する位相共役鏡を備え、固体レーザー媒質の冷却媒質が液体である構成し、あるいは、固体レーザー媒質に沿って流れる冷却媒質の流れが、鋭角又は流線型の仕切板等でなる乱流発生防止手段により、少なくともレーザー光路部分において層流であるように構成し、前記レーザー増幅器がアクティブミラー型の増幅器で構成した。
【００１７】
これにより、レーザー増幅器を水冷型ディスクレーザー増幅器のみならず、アクティブミラー型の増幅器とすることにより、この光学構成を繰り返すことで高出力を得ることができる。
【発明の効果】
【００１８】
以上のように、本発明の高出力レーザー増幅器は、レーザー光を増幅する固体レーザー媒質がハウジングに格納され、固体レーザー媒質を励起光で励起するレーザー増幅器において、固体レーザー媒質の冷却媒質が液体であって、レーザー光路に波面歪みを補償する位相共役鏡を備えるものであり、レーザービームが増幅器を少なくとも１往復することにより、高出力のレーザーが得られる。
【００１９】
また、水冷デイスクレーザー増幅器であるため、冷却能力が大きくなり、レーザー媒質内に蓄積した熱除去が可能である。そして、残留熱によるレーザー媒質内の歪みは、位相共役鏡による補正が可能であり、固体レーザー装置で発生する熱レンズ効果及び熱複屈折効果などの熱効果を除去できることにより、高品質のレーザーを得ることができる。
【発明を実施するための最良の形態】
【００２０】
本発明は、レーザー光を増幅する固体レーザー媒質がハウジングに格納され、固体レーザー媒質を励起光で励起するレーザー増幅器において、固体レーザー媒質の冷却媒質が液体であって、レーザー光路に波面歪みを補償する位相共役鏡を備え、レーザービームが増幅器を少なくとも１往復することを特徴とするレーザー増幅器である。ここで冷却媒質の流れが、少なくともレーザービームが通過する部分は層流であるように制御される。層流により、ビームが冷却液体通過後に高次の波面収差を含まないため、位相共役鏡で補償出来る。
【００２１】
乱流発生防止は、鋭角又は流線型の仕切板等で実現される。固体レーザー媒質はディスク型またはスラブ型の板状で、１枚または複数枚の構成で、直接に液体で冷却される。励起源はフラツシュランプやレーザーダイオードアレイが用いられる。液体の冷却媒質は水またはフッ素系不活性液体が用いられる。増幅器がアクティブミラー型の増幅器にも適用出来る。ディスク型であるため大口径化が可能で、多数枚使用により、１パルス当たり１００Ｊ級まで可能で、出力１０Ｊ級以上は容易に実現される。
【００２２】
次に、本発明の高出力レーザー増幅器の実施形態を図面に基づいて説明する。図１は本発明の高出力レーザー増幅器の基本構成図である。図において、１は水冷型の板状（ディスク型，スラブ型）レーザー増幅器であり、レーザー光路にも水など冷却液体が流れる構造を有する。２は位相共役鏡、３は位相素子（１／４波長板）もしくは偏光回転素子(ファラデー回転子)、４は偏光ビームスプリッター（偏光子）である。
【００２３】
図１の基本構成について次に説明する。例えば、横偏光（Ｐ偏光）の入射レーザー光は、横偏光ビームを通過するように配置した偏光ビームスプリッター（偏光子）４を通過後、レーザー光路にも水など冷却液体が流れて冷却される板状レーザー増幅器１により増幅された後、偏光回転素子３により横偏光から４５度偏光となり、位相共役鏡２に入射される。
【００２４】
位相共役鏡２により反射されたレーザー光は、再び偏光回転素子３を通過することにより、さらに偏向は４５度回転する。その結果、偏光回転素子３を通過後の偏光方向は、入射偏光の横偏光から９０度回転した縦偏光（Ｓ偏向）となる。この縦偏光のレーザー光は、再び板状レーザー増幅器１により高出力まで増幅された後、偏光ビームスプリッター４によりレーザー光は切り出される。偏光ビームスプリッター４は、入射レーザー光Ｐ偏光には通過するのに対し、反射レーザー光Ｓ光偏向では反射するように配置されている。
【００２５】
ここで、位相共役鏡（ＰＣＭ）について説明する。レーザー光と物質との非線形相互作用を利用すると、いわゆる「魔法の鏡」を作ることができる。通常の鏡で反射した光は、単に方向が変わって進むだけである。しかし、この鏡で反射した光は、反射光は必ず元来た方向に伝わる。また、鏡と自分の間に歪んだガラス等の透明媒質を入れて自身を映すと、歪んで見えるが、この鏡では全く歪まずに見える。光を媒介にして像を見たとき、像が正しく見えるか、歪んで見えるかは、物体から出た光の位相が途中でどの程度空間的に歪むかにより、歪みが大きいほど像は歪んで見える。
【００２６】
位相共役鏡で反射した光は位相が時間を遡るように来た道を還り、往路で受けた歪みが復路で打消される。このため、元の物体の所まで還ってきた光でその像を見ると無歪みで見える。但し、光の強さは位相と直接関係ないので、途中で弱められても、強められても関係ない。
【００２７】
この位相共役鏡を作る方法の一つに、物質中に入ってきた情報をレーザー光で誘起された音波（ブリルアン波）により伝える方法があり、これを誘導ブリルアン散乱（ＳＢＳ）位相共役鏡という。これを利用すると簡単に位相共役鏡を作ることができ、非常に質の高いレーザー光を発生、増幅することができるばかりでなく、無歪みで像を転写できる。
【００２８】
従って、位相共役鏡２により、板状レーザー増幅器１内をレーザー光が往きと還りにおいて、同一光路を通過することにより、板状レーザー増幅器１を２回以上通過することによって高出力が得られ、且つ高ビーム品質が得られる。
【００２９】
板状レーザー増幅器１は、多段で連結された場合や、板状レーザー増幅器を偶数倍(２，４，６回等）通過した場合でも機能する。また、位相素子（１／４波長板）もしくは偏光回転素子(ファラデー回転子)３の位置は、板状レーザー増幅器１の前後のどちらでも機能する。
【００３０】
本発明では、位相共役鏡２はパルスレーザー用誘導ブリルアン散乱位相共役鏡を用いたが、連続出力レーザー用フォットリフラクテイブ結晶位相共役鏡を使用することも可能である。また、波面補償できる光学素子は位相共役鏡に限らず、波面と逆構造を持たせることのできる可変形鏡などは利用可能である。
【実施例１】
【００３１】
次に本発明の第１の実施形態である水冷ディスク増幅器について図２を参照して説明する。水冷ディスク増幅器は、複数枚からなる板状（ディスク型，スラブ型）のレーザー媒質（結晶もしくはガラス材料）で構成されるレーザー装置であり、レーザー光路にも水など冷却液体が流れる構造を有するレーザー増幅器を言う。
【００３２】
図２において、図１と同一物には同じ符号を付している。２は位相共役鏡、３は偏光回転素子、４は偏光子、５は板状結晶、６は石英などの光学窓、７は冷却水路、１０はキセノンフラシュランプや半導体レーザー等の励起光源であり、板状結晶５は３枚の板状結晶で構成されている。冷却水路７はある角度（入射角に対し約５６度傾斜）をもって、３枚の板状結晶５の表面を冷却水により冷却する。レーザー光の入射角度は、透過率が最大になるように配置される。３枚の板状結晶５からなる増幅器は石英などの光学窓６を持つ光学箱に納めた構造とし、左右対称に配置されている。
【００３３】
この実施形態の動作を説明する。励起光源１０の横偏光（Ｐ偏光）の入射レーザー光は、横偏光ビームを通過するように配置した偏光ビームスプリッター（偏光子）４を通過後、左側のレーザー増幅器を構成する、光学窓６を介して３枚の板状結晶５の表面から効率良く励起する。
【００３４】
板状結晶５により増幅された後、光学窓６を介して、右側のレーザー増幅器を構成する、光学窓６を介して３枚の板状結晶５で更に増幅された後、光学窓６を介して偏光回転素子３に至り、この偏光回転素子３より横偏光から４５度偏光となり、位相共役鏡２に入射される。
【００３５】
位相共役鏡２により反射されたレーザー光は、再び偏光回転素子３を通過することにより、さらに偏光は４５度回転する。その結果、偏光回転素子３を通過後の偏光方向は、入射偏光の横偏光から９０度回転した縦偏光（Ｓ偏光）となる。この縦偏光のレーザー光は、再び右側のレーザー増幅器を構成する、光学窓６を介して３枚の板状結晶５で更に増幅された後、左側のレーザー増幅器を構成する、光学窓６を介して３枚の板状結晶５で高出力まで増幅されて、偏光ビームスプリッター４によりレーザー光は切り出される。
【００３６】
ここで、左右のレーザー増幅器は左右対称に配置することにより、入射ビーム光は増幅後も同一高さまで戻ることができる。偏光ビームスプリッター４は、入射レーザー光Ｐ偏光には通過するのに対し、反射レーザー光Ｓ偏光では反射するように配置されている。そして、３枚の板状結晶で構成され左右の増幅器は冷却水路７の冷却水により冷却される。
【００３７】
このように、水冷された板状レーザー増幅器と波面補償の可能な位相共役鏡などを組み合わせた多重パス光路を持つレーザー増幅器を構成することにより、偏光ビームスプリッター４からの出射レーザー光は高出力で、かつ高品質となる。
【００３８】
冷却液体としては水に限ることなく、粘度の低いフレオン（弗化炭素系の液体）等や、その他の励起光やレーザー光に対する光学的吸収率の低いものは利用できる。また、各多面体のディスク型、スラブ型に利用できる。
【００３９】
レーザーディスクを石英などの窓を持つ光学箱に納めた構造としたが、窓材料は石英に限らず、通常の透明光学材料のほか、固体レーザーを直接窓材として利用する形式も可能である。また、レーザー材料は、希土類を添加した全ての固体レーザー材料や液体レーザー材料を利用できる。
【００４０】
板状結晶で構成された増幅器が冷却水により冷却される構成を図３に示す。図において、左右の光学窓６と冷却水路を介して挟まれた板状結晶５（図では垂直であるが、実際はある傾斜をなしている。）は、板状結晶５に沿って流れる冷却媒質の流れが、少なくともレーザー光路部分において層流であるように、鋭角又は流線型の仕切板等でなる乱流発生防止手段により、左右の光学窓６に、夫々の鋭角又は流線型の仕切板８を取り付ける。また、板状結晶５にも反射防止膜９を付けることもできる。こうして、乱流の発生が防止され層流となるので、ビームが冷却液体通過後に高次の波面収差を含まないため、位相共役鏡で補償できる。
【実施例２】
【００４１】
次に本発明の第２の実施形態であるアクティブミラー型ディスク増幅器について図４を参照して説明する。図において、図１、図２と同一物には同じ符号を付している。２は位相共役鏡、３は偏光回転素子、４は偏光子、５は板状結晶、６は石英などの光学窓、７は冷却水路、１０は励起光源、１１は高反射鏡であり、板状結晶５は３枚の板状結晶で構成されている。レーザー光の入射角度は、透過率が最大になるように配置される。３枚の板状結晶５からなる増幅器は石英などの光学窓６を持つ光学箱に納めた構造とし、左右対称に配置されている。
【００４２】
この実施形態の動作を説明する。励起光源１０の横偏光（Ｐ偏光）のある角度（数１０度）の入射レーザー光は、横偏光ビームを通過するように配置した偏光ビームスプリッター（偏光子）４を通過後、左側のレーザー増幅器を構成する、光学窓６を介して３枚の板状結晶５の表面から効率良く励起する。
【００４３】
板状結晶５により増幅された後、光学窓６を介して、高反射鏡１１により反射された後、再び、右側のレーザー増幅器を構成する、光学窓６を介して３枚の板状結晶５で更に増幅された後、光学窓６を介して高反射鏡１１により反射された後、偏光回転素子３に至り、この偏光回転素子３より横偏光から４５度偏光となり、位相共役鏡２に入射される。
【００４４】
位相共役鏡２により反射されたレーザー光は、再び偏光回転素子３を通過することにより、さらに偏光は４５度回転する。その結果、偏光回転素子３を通過後の偏光方向は、入射偏光の横偏光から９０度回転した縦偏光向（Ｓ偏光）となる。この縦偏光のレーザー光は、再び右側のレーザー増幅器で増幅された後、光学窓６を介して高反射鏡１１により反射された後、左側のレーザー増幅器で増幅されて、光学窓６を介して高反射鏡１１により反射された後、偏光ビームスプリッター４によりレーザー光は切り出される。
【００４５】
図４は２段構成の一例であるが、この光学構成を繰り返すことで高出力が得られる。高反射鏡は、レーザー光に対し高い反射率特性、励起光源に対しては高い透過率特性の波長分離型光学薄膜が利用される。
【００４６】
左右のレーザー増幅器を構成する夫々３枚の板状結晶は冷却水路７の冷却水により冷却される。このように、水冷された板状レーザー増幅器と波面補償の可能な位相共役鏡などを組み合わせた多重パス光路を持つレーザー増幅器を構成することにより、偏光ビームスプリッター４からの出射レーザー光は高出力で、かつ高品質となる。
【００４７】
そして、本実施形態ものでも冷却液体としては水に限ることなく、粘度の低いフレオン（弗化炭素系の液体）等や、その他の励起光やレーザー光に対する光学的吸収率の低いものは利用できる。
【００４８】
水冷デイスクレーザー増幅器と位相共役鏡を用いたレーザー装置の特徴を列記すると、次の通りである。
（１）水冷デイスクレーザー増幅器であるため、冷却能力が大きくなり、レーザー媒質内に蓄積した熱除去が可能である。残留熱によるレーザー媒質内の歪みは、位相共役鏡による補正が可能であり、固体レーザー装置で発生する熱レンズ効果及び熱複屈折効果などの熱効果を除去できる。
（２）レーザー光路に冷却用の液体が流れており，レーザー波面に与える歪は，位相共役鏡や可変形鏡で補正可能である。
（３）冷却用液体の流量を確保するために比較的高い圧力が窓材に掛かるが，窓材料に与える光学的歪も同時に補正可能である。
（４）ジグザグスラブレーザーやロッドレーザーにおける冷却用液体を封じるためのシールが不要なため，シールがレーザー材料に機械的に与える歪が無くなり，レーザー設計に自由度を与えることができる。
（５）ジグザグスラブレーザーやロッドレーザーに比べ、大口径化が可能であり、高出力（１００Ｊ級パルス出力）で、高繰り返し動作１００Ｈｚ以上が可能である。
（６）励起源をレーザー媒質と分離することが可能であり、構成が簡便である。
【００４９】
次に、通常の高反射鏡を用いたものと、位相共役鏡を用いた水冷デイスクレーザー増幅器の集光性能の比較実験結果を図５、図６に示す。通常の高反射鏡を用いて増幅器を２パスで用い、入射ビームの集光スポット径に対し、透過したレーザービーム性能が低下するかを調べた。
【００５０】
増幅器内の冷却水を流す隙間は、約０.５〜１mmであり、板状レーザー媒質をサンドイッチしている窓板が水圧による歪みを生じる。即ち、窓板中央部がかまぼこ状に変形してレンズ効果が生じる。この結果、ビームの集光スポット径は、大きくなっている。最大流量２０リッター／分でのスポット径は、初期径の約６倍以上まで大きくなっている。このことは、ビーム品質が大幅に低下していることを意味している。
【００５１】
一方、位相共役鏡を用いた水冷デイスクレーザー増幅器を２パスで用いた場合は、集光スポット径は、初期のスポット径と同じであることから、ビーム性能を維持している。そして、集光スポット径は、レーザー光の波長λ（cm）、ビーム口径ｄ（cm）と使用するレンズの焦点距離ｆ（cm）によって、理想的な集光最小ビーム径Ｄ（cm）は次式で定義できる。
【００５２】
（数１）
Ｄ＝２.４４×ｆ／ｄ×λ
使用したレーザー光の波長λ＝１.０６×１０-4 、ビーム口径ｄ＝３（cm）、レンズの焦点距離ｆ＝２００（cm）を導入すると、理想的な最小ビーム径Ｄは、約０.０１５cm（１５０μm）である。尚、入射ビームのスポット径約２００（μm）が入射レーザービームの理想値である。
【００５３】
こうして得られた、波面歪みの冷却水流量依存をグラフ化し、冷却水流量とスポットサイズとの関係を図５に示す。ここで、「垂直」「水平」はスポットの垂直サイズと水平サイズを意味する。また、スポットサイズの写真撮影結果は、通常の高反射鏡を用いたものと、位相共役鏡を用いた水冷デイスクレーザー増幅器とを比較して、図６に示されている。これからも明らかなように、集光スポット径には変化がなく、ほぼ一定となる。
【産業上の利用可能性】
【００５４】
本発明高出力レーザー増幅器は、超短パルス高繰り返しレーザーを用いた微細加工、Ｘ線（ＥＵＶ）発生用レーザー光源、コヒーレントＸ線（Ｘ線レーザー）の励起光源、核融合レーザー技術、高エネルギー物理実験等の種々の分野に多岐にわたって応用できる。
【図面の簡単な説明】
【００５５】
【図１】本発明の高出力レーザー増幅器の基本構成図。
【図２】本発明の第１の実施形態（水冷ディスク増幅器）。
【図３】乱流発生防止手段付増幅器。
【図４】本発明の第２の実施形態（アクティブミラー型ディスク増幅器）。
【図５】冷却水流量とスポットサイズとの関係図。
【図６】スポットサイズの撮影写真。
【符号の説明】
【００５６】
１                板状レーザー増幅器
２                位相共役鏡（ＰＣＭ）
３                偏光回転素子
４                偏光ビームスプリッター（偏光子）
５                板状結晶
６                石英などの光学窓
７                冷却水路
８                乱流発生防止手段
９                反射防止膜
１０              励起光源
１１              高反射鏡
【図１】
2005101223.tif 000003
【図２】
2005101223.tif 000004
【図３】
2005101223.tif 000005
【図４】
2005101223.tif 000006
【図５】
2005101223.tif 000007
【図６】
2005101223.tif 000008